(57)【要約】【課題】ゴムクロ−ラの耳部の折れ曲がり対策を提供するものであり、隆起部によって歪みの集中を避けることができ、これによって耳切れの発生を抑えることができた。【解決手段】ゴムクロ−ラを構成するゴム弾性体中にスチ−ルコ−ド列が埋設され、内周側に形成したゴム突起と、外周側に形成したラグとからなるゴムクロ−ラであって、ゴムクロ−ラの内周面に接触する部材の左右端部に相当するゴムクロ−ラの内表面を隆起させたゴムクロ−ラ。１‥ゴム弾性体、２‥スチ−ルコ−ド列、３‥ゴム突起、４‥ラグ、５‥耳部、７‥隆起部。【選択図】図２
2006142929.tif 000002
【特許請求の範囲】
【請求項１】
ゴムクロ−ラを構成するゴム弾性体中にスチ−ルコ−ド列が埋設され、内周側に形成したゴム突起と、外周側に形成したラグとからなるゴムクロ−ラであって、ゴムクロ−ラの内周面に接触する部材の左右端部に相当するゴムクロ−ラの内表面を隆起させたことを特徴とするゴムクロ−ラ。
【請求項２】
隆起部がゴム弾性体の長手方向に無端状とした請求項１記載のゴムクロ−ラ。
【請求項３】
隆起部がゴム弾性体のラグ間に形成した請求項１記載のゴムクロ−ラ。
【請求項４】
隆起部がゴム弾性体の突起間に形成した請求項１記載のゴムクロ−ラ。
【請求項５】
ゴムクロ−ラが芯金レスゴムクロ−ラである請求項１乃至５いずれか記載のゴムクロ−ラ。
【発明の詳細な説明】
【技術分野】
【０００１】
本発明はゴムクロ−ラ、特に言えば芯金レスクロ−ラの耳切れ防止を狙ったゴムクロ−ラに関するものである。
【背景技術】
【０００２】
以下、本発明を芯金レスゴムクロ−ラを代表として説明するが、芯金レスクロ−ラはスプロケットとアイドラ−間に巻き掛けされ、更にトラックロ−ラ−が内周面を転動する構造となっている。即ち、ゴムクロ−ラの内周面はこれらがが接触しつつ転動する。ゴムクロ−ラは張力が掛かるため、これらが接触する部位を境にゴムクロ−ラの幅方向端部（耳部）が内側に折れ曲がる現象が繰り返し起こる。一方、ゴムクロ−ラ側は走行中い路面の縁石等に接触すると、ゴムクロ−ラの幅方向端部（耳部）が折れ曲がる。
【０００３】
図１はこの状態を示す断面図であり、ゴムクロ−ラを構成するゴム弾性体１中にスチ−ルコ−ド列２が埋設され、図示はしないが通常はこの内外にバイアスコ−ド列が埋設されている。３はゴムクロ−ラの内周側に形成したゴム突起であり、スプロケットと係合して推進力を伝える役目をなす。又、４はゴムクロ−ラの外周側に形成したラグであり、１０はゴムクロ−ラの内周側に接触する部材の代表であるトラックロ−ラ−である。
【０００４】
ゴムクロ−ラはこれらの動きを同時に発生するものであり、特に、両者における耳部の折れ曲がり部が一致する場合、耳部に亀裂が入ったり、耳部の切断に至るケ−スがある。図中、点線で示すものは耳部５が内側に曲がった状態を示すが、ゴムクロ−ラの耳部５はこれを繰り返すことにより、特に、ゴムクロ−ラの内周側に接触する部材６の左右の外側端部（６ａ）に接触する部位に歪みが大きくもたらされここにクラックＣが発生する。
【発明の開示】
【発明が解決しようとする課題】
【０００５】
本発明はゴムクロ−ラ、特に芯金レスゴムクロ−ラの耳部の損傷防止を目的とするゴムクロ−ラを提供するものである。
【課題を解決するための手段】
【０００６】
本発明の要旨は、ゴムクロ−ラを構成するゴム弾性体中にスチ−ルコ−ド列が埋設され、内周側に形成したゴム突起と、外周側に形成したラグとからなるゴムクロ−ラであって、ゴムクロ−ラの内周面に接触する部材の左右端部に相当するゴムクロ−ラの内表面を隆起させたことを特徴とするゴムクロ−ラである。
【発明の効果】
【０００７】
本発明は以上の通りであり、耳部の折れ曲がりに対して隆起部によって歪みの集中を避けることができ、これによって耳切れの発生を抑えることができたものであり、ゴムクロ−ラの寿命の向上が可能となったものである。
【発明を実施するための最良の形態】
【０００８】
ゴムクロ−ラはスプロケットとアイドラ−間に巻き掛けされ、更にトラックロ−ラ−が内周面を転動する構造となっている。即ち、ゴムクロ−ラの内周面はこれら各部材が繰り返し接触・転動するところ、非転動部との境界が繰り返し折り曲げられ、この部位に耳部の耳切れ防止のため、この部位に隆起部を存在させたものである。
【０００９】
各部材の接触部は機体の荷重が外向きに加わるが、非接触部の耳部は通常は内側に曲がるため、この境界にて逆の方向への動きが加わることとなる。従って、かかる部位に歪みが集中し、ここにクラック等が発生することとなる。本発明はこのクラックの発生の防止を目的としたものであり、隆起部をここに介在させてクラックの発生を低減しようとするものである。
【００１０】
隆起部の存在は長手方向に連続する帯状のものが好適であるが、場合によっては、外周側に形成するラグ或いは内周側に形成する突起に対してその間に点在させたものである。この隆起部は、ゴムクロ−ラの成形の際に内周側を区画するモ−ルドの表面に窪みを形成することによってなされるものである。尚、この隆起部は高硬度ゴムとすることが可能であり、ゴム硬度が７５〜９５度（ＪＩＳ・Ａ）である。
【実施例】
【００１１】
以下、実施例をもって本発明を更に詳細に説明する。図２は本発明のゴムクロ−ラ（芯金レス）の斜視図であり、図３は幅方向断面図である。図２中、右側半分が第１例であり、左側半分が第２例である。ゴムクロ−ラを構成するゴム弾性体１中にスチ−ルコ−ド列２が埋設され、内周側に形成したゴム突起３と、外周側に形成したラグ４とからなるゴムクロ−ラであって、５は耳部であって、ゴムクロ−ラの内周面に接触する部材６（ここではトラックロ−ラ−にて代表する）の左右端部に相当するゴムクロ−ラの内表面に隆起部７を存在させたことを特徴とする。
【００１２】
特に図３にて分かるように、ゴムクロ−ラの内周面にはスプロケット、アイドラ−、トラックロ−ラ−等の各部材６が接触して転動するが、その各部材６の左右の外側端部６ａはほぼ同じ位置にある。このため、夫々の部材６における折れ曲がる位置はほぼ同じ位置であり、このため、耳部５におけるクラックの発生は顕著にもたらされることとなる。本発明はかかる部位に隆起部７を介在させたもので、図２の第１例にあってはゴムクロ−ラの長手方向に連続して帯状に備えたものであり、図２の第２例にあっては、内周側に形成した突起３、３間に点在させたものである。
【００１３】
第１例について言えば、ゴムクロ−ラを成形する際の内周面を区画するモ−ルド（図示せず）の表面の所定の位置に溝を形成し、これにゴムクロ−ラ本来の各材料を配置して加硫成形するものである。即ち、ゴムクロ−ラの内周側を形成する未加硫ゴム層、突起を形成する未加硫ゴムブロック、未加硫ゴムシ−トにてコ−トされたスチ−ルコ−ド列、ゴムクロ−ラの外周側を形成する未加硫ゴム層、ラグを形成する未加硫ゴム層、を夫々モ−ルド内に納め、これをゴムクロ−ラの外周側を区画するモ−ルドにて加圧下に加熱して全体の未加硫ゴムを加硫してゴムクロ−ラを得るものである。
【００１４】
尚、隆起部７の高さは２〜５ｍｍ程度で十分であり、幅も各部材６の左右の外側端部６ａが入る範囲にあれば十分である。隆起部７の高さや幅が必要以上であると曲げ抵抗が大きくなってしまうという欠点があり、エネルギ−のロスにつながってしまうため、必要異常に厚くしたり幅を広げるべきではない。この例では隆起部７のゴム硬度は９０度（ＪＩＳ・Ａ）であった。
【産業上の利用可能性】
【００１５】
本発明は以上の通りであり、芯金レスクロ−ラの内周面を改良するだけでなく、芯金を一定間隔で埋設したゴムクロ−ラにも適用できることは言うまでもない。
【図面の簡単な説明】
【００１６】
【図１】図１は従来のゴムクロ−ラの断面図である。
【図２】図２は本発明のゴムクロ−ラの斜視図である。
【図３】図３は本発明のゴムクロ−ラの断面図である。
【符号の説明】
【００１７】
１‥ゴム弾性体、
２‥スチ−ルコ−ド列、
３‥ゴム突起、
４‥ラグ、
５‥耳部、
６‥ゴムクロ−ラの内周側を転動する部材、
６ａ‥ゴムクロ−ラの内周側を転動する部材の外側端部、
７‥隆起部、
１０‥トラックロ−ラ−、
Ｃ‥クラック。
【図１】
2006142929.tif 000003
【図２】
2006142929.tif 000004
【図３】
2006142929.tif 000005